(57)【要約】      （修正有）【課題】カット対象が犬、猫等のペットのように細い毛であっても噛み込んだり、要ネジに絡み付くことがない構造簡単な、理容、美容等に使用する鋏を提供する。【解決手段】２枚の刃体１、１の擦り合わせ面４１、４１に両端を開放した排除路５を凹設し、その要ネジ３を、排除路５内の中間位置を貫通させて配置して、カットされた毛髪やペットの毛を要部分で噛み込むことなく排除路５から排出する。【選択図】図２
0003102198.tif 000002
【実用新案登録請求の範囲】
【請求項１】
２枚一対の刃体を挿通する要ネジとその要ネジに螺着する止着ナットとでその一対の刃体を擦り合わせ自在に締付けた鋏において、前記２枚の刃体の擦り合わせ面に両端を開放した排除路を凹設し、該要ネジを、排除路内を貫通させて配置していることを特徴とする鋏。
【請求項２】
前記排除路を、２枚の刃体における擦り合わせ面の片方または双方に刃体の幅寸法よりも小幅な溝幅をもって凹設された横断溝で構成し、該横断溝の中間位置に前記要ネジを配置していることを特徴とする請求項１記載の鋏。
【考案の詳細な説明】
【技術分野】
【０００１】
本考案は、２枚一対の刃体を挿通する要ネジとその要ネジに螺着する止着ナットとでその２枚の刃体を擦り合わせ自在に締付けた理容、美容等に使用する鋏、更に詳しくはペット用として特に有効な理容、美容等に使用する鋏に関するものである。
【背景技術】
【０００２】
従来、この種の鋏には、２枚の刃体を擦り合わせ自在に締付ける要ボルトの軸心に対する傾斜に関わらず、一対の刃体同士を最適な擦り合わせ状態に具現させるもの（前者）や、要ネジとその要ネジに螺着される止着ネットとで締付けられる擦り合わせ面の潤滑性を付与するもの（後者）等が提案されている（例えば、特許文献１、特許文献２参照。）。
前者は、止着ナットと刃体との間に略皿形状に形成した弾性体を介在し、その止着ナットにおいて、弾性体と接する側の面を球面状に形成して、要ボルトの軸心が直角に設置されていない場合であっても、止着ナットが弾性体に均等に接触して、止着ナットの締付力が要ボルトの挿通孔の周縁部に均等に加わって、刃体同士の適切な擦り合わせ状態にすることができる。
また、後者は、要ネジと止着ナットからなる枢支部の対向面に枢支孔（要ネジの挿通孔）を含んで油溜め部を設け、該油溜め部から外方に延びる複数条の凹溝を設けて、鋏の開閉操作によって、潤滑剤を枢支部の対向面に潤滑させて、錆の発生を防止し、更に摩擦抵抗を減少させて円滑な操作を可能にすることができる。
【０００３】
ところで、犬や猫等のペットの毛は、人の毛髪に比べて非常に細い。そのため、２枚の刃体の擦り合わせ状態を最適な状態に設定しても、擦り合わせ面間（要部分）に毛が入り込み噛み込んで開閉操作を阻害し、トリミングを行なえなくする。ことに巻き毛等の場合には、要ネジへの絡み付きも相乗して、開閉操作性を速く低下させることがある。
この問題点は、前記する前者、後者では解決できない。
そのため、頻繁に分解して、その噛み込んだ毛を取除く必要があり、その対応が大変であるし、その噛み込んだ毛は鋏そのものの寿命を縮める要因になる。
【特許文献１】特開２０００−１２６４７８号公報
【特許文献２】実開昭５６−３７９６５号公報
【考案の開示】
【考案が解決しようとする課題】
【０００４】
本考案は上記従来事情に鑑みてなされたもので、その目的とする処はカット対象が犬、猫等のペットのように細い毛であっても噛み込んだりすることがない構造簡単な、理容、美容等に使用する鋏を提供することにある。
【課題を解決するための手段】
【０００５】
前記課題を解決するために講じた技術的手段は、２枚一対の刃体を挿通する要ネジとその要ネジに螺着する止着ナットとでその一対の刃体を擦り合わせ自在に締付けた鋏において、前記２枚の刃体の擦り合わせ面に両端を開放した排除路を凹設し、該要ネジを、排除路内を貫通させて配置していることを特徴とする鋏である（請求項１）。
そして、その排除路を、２枚の刃体における擦り合わせ面の片方または双方に刃体の幅寸法よりも小幅な溝幅をもって凹設された横断溝で構成し、該横断溝の中間位置に前記要ネジを配置していると、好適なものである（請求項２）。
ここで、前記横断溝は、刃体の幅寸法よりも若干幅狭なのが好ましく、また要ネジの配置位置は横断溝の中間位置とするのが、要ネジにおけるネジ軸部の両サイドに排除スペースが確保して、カットされた毛髪やペットの毛（例えば巻き毛等）のそのネジ軸部への絡み付きを防止する上で好ましいものである。
【０００６】
以上の手段によれば、カットされた毛髪やペットの毛を要部分に噛み込ませることなく排除路（横断溝）から排出する。
そして、その横断溝が刃体の幅寸法よりも僅かながら幅狭であると、鋏の開閉操作を阻害することなく最大限に幅広な排除路を形成し、その横断溝が２枚の刃体における擦り合わせ面の双方に凹設されていると、幅方向のみならず高さ方向にも広い排除路を形成する。
また、要ネジの両サイドに平等に確保された排除スペースを、カットされた毛髪やペットの毛が要ネジのネジ軸部に絡み付かずに流通させる空間として有効利用する。
そして、仮に排除路内でカットされた毛髪や毛が脂性等の影響で停滞した場合には、いちいち分解することなく、息を吹きかける等の簡単な手法で排除することも可能である。
【考案の効果】
【０００７】
本考案は以上のように構成したから、下記の利点がある。
（請求項１）２枚の刃体の擦り合わせ面に両端を開放した排除路を凹設し、該排除路内を貫通して要ネジを配置しているので、カットされた毛髪やペットの毛が擦り合わせ面間（要部）に進入しようとしても、その排除路から外部に排出することができる。
従って、要部分での噛み込みを防止し、ペットをトリミングする時に特に効果を発揮する構造簡単な鋏を提供することができる。
（請求項２）その排除路を構成する横断溝が２枚の刃体における擦り合わせ面の双方に刃体の幅寸法よりも小幅な溝幅をもって凹設された横断溝で構成していると、鋏の使用勝手を損わずに幅方向、高さ方向の両方向に広い排除スペースを形成するので、毛髪やペットの毛の停滞がなく、よりスムーズに排出できる上、その排除スペース分、鋏が軽量化され、開閉操作性、取扱性を共に向上させることができる。
しかも、要ネジは排除路の中間位置に配置して、ネジ軸部両サイドに平等に毛髪やペットの毛の排除スペースを確保するから、巻き毛等でも流通し易く、ネジ軸部への絡み付きも少なくなり、仮に絡み付いても、噛み込み力が作用するものではないから、人為的に抜取り易く、対処も簡単である。
その上、排除路を、刃体を横断する溝で構成しているため、毛髪やペットの毛を排除するための経路が最短になって抵抗も小さなものとなり、排除効率も非常に良いものとなる。
また、排除路は、擦り合わせ面に横断状に設けられて、刃先の両長手縁の開放部だけが露呈するが、刃体の厚みは薄肉であるため、目立つことはなく、鋏独特の流麗さから惹起する商品価値を損わない。
【考案を実施するための最良の形態】
【０００８】
次に図１〜図４に示す本考案鋏の具体的な実施の形態を図面に基づいて説明すると、符号Ａはその鋏である。
この鋏Ａは各図に示すように、基本的には従来と同様に静止刃体と動刃体からなる２枚一対の刃体１、１の開閉支点部分に開穿した挿通孔２に亘って要ネジ３を挿通し、その要ネジ３の先端部分に止着ナット４を進退可能に螺着させて適度な締付け力で開閉動作可能に軸着し、両刃体１、１の柄部１１、１１の基端に指を挿入して引っ掛けるための指環２１、２１を夫々一体に形成して、構成されている。
【０００９】
この鋏Ａには、要部分３１の擦り合わせ面４１、４１に排除路５が凹設形成されている。
この排除路５は、双方の刃体（静止刃体、動刃体）１、１の一方または双方に刃体１、１の幅寸法よりも小幅な寸法をもって凹設された横断溝（後述では符号１５を付して説明する）で構成されている。
【００１０】
前記横断溝１５は、図１、図３、図４等に示すように刃体１各々の長さ方向に対して直角状もしくは略直角状に凹設され、両端を刃体１の長手端縁で開放させてある。
横断溝１５は、刃体１の幅寸法よりも僅かながら幅狭にしてあり、この横断溝１５の丁度中間位置を貫通するように前記する要ネジ３を配置することによって、鋏Ａを開閉可能にしている。
【００１１】
前記横断溝１５の深さは、図２に示すように刃体１の一方に設けた場合、双方に設けた場合、共に、前記止着ナット４の締付力で変形しない厚みの締付面５１を残すように設定して、高さ方向により広く確保するのが好ましいものである。
【００１２】
以上のように構成された鋏Ａは、締付力が集中する要部分３１の擦り合わせ面４１、４１に両端を開放する排除路５を凹設し、その排除路５の中央位置を貫通させて要ネジ３を配置して、そのネジ軸部１３の回りの擦り合わせ面４１、４１の代わりに排除路５を形成しているので、調髪や、例えば犬や猫等のペットをトリミングしている時でも、カットされた毛髪や毛の要部分３１での噛み込みを防止することができる。
【図面の簡単な説明】
【００１３】
【図１】本考案鋏の平面図。
【図２】図１の拡大側面図で一部切欠して示す。
【図３】図２の（３）−（３）線断面図。
【図４】静止刃体と動刃体の分解斜視図で、要部のみを示す。
【符号の説明】
【００１４】
Ａ：鋏                            １、１：刃体
３：要ネジ                            ４：止着ナット
１３：ネジ軸部（要ネジのネジ軸部）      ４１、４１：擦り合わせ面
５：排除路                          １５：横断溝
【図１】
0003102198.tif 000003
【図２】
0003102198.tif 000004
【図３】
0003102198.tif 000005
【図４】
0003102198.tif 000006